(57)【要約】      （修正有）【課題】電気炬燵のある部屋のどこからでもコンセントに挿入された差込プラグを見るだけで、中間スイッチが切れているかどうか一目で分かるようにした中間スイッチ消し忘れ防止用炬燵コードを提供する。【解決手段】電源コンセントへ挿入する差込プラグ、中間スイッチ、プラグ受け、及び２本のコードからなると共に、当該差込プラグは２本の突出した端子ブレードとプラグケースからなり、一端部において当該差込プラグを、中間部において当該中間スイッチを、他端部において当該プラグ受けを、２本の当該コードで接続してなる炬燵コードにおいて、表示ランプを途中に有する導線の上流端部が、当該中間スイッチの上流側において、一方の当該端子ブレード又は一方の当該コードと接続され、当該導線の下流端部が、当該中間スイッチの下流側において、他方の当該コードを導線で接続されたことを特徴とする中間スイッチ消し忘れ防止用炬燵コード。【選択図】図１
0003142006.tif 000002
【実用新案登録請求の範囲】
【請求項１】
電源コンセントへ挿入する差込プラグ、中間スイッチ、プラグ受け、及び２本のコードからなると共に、当該差込プラグは２本の突出した端子ブレードとプラグケースからなり、一端部において当該差込プラグを、中間部において当該中間スイッチを、他端部において当該プラグ受けを、２本の当該コードで接続してなる炬燵コードにおいて、表示ランプを途中に有する導線の上流端部が、当該中間スイッチの上流側において、一方の当該端子ブレード又は一方の当該コードと接続され、当該導線の下流端部が、当該中間スイッチの下流側において、他方の当該コードを導線で接続されたことを特徴とする中間スイッチ消し忘れ防止用炬燵コード。
【請求項２】
前記表示ランプは、プラグケース内に収納されていることを特徴とする請求項１に記載された炬燵コード。
【請求項３】
前記表示ランプは、発光素子と抵抗を取り付けたことを特徴とする請求項１〜２の何れかに記載された炬燵コード。
【請求項４】
前記２本のコードと導線が、絶縁材料で被覆してなることを特徴とする請求項１〜３の何れかに記載された炬燵コード。
【請求項５】
請求項１〜４に何れかに記載された炬燵コードを用いてなる電気炬燵。
【請求項６】
請求項１〜４に何れかに記載された炬燵コードを用いてなるＯＮ−ＯＦＦ式サーモスタットを有する電気炬燵。
【考案の詳細な説明】
【技術分野】
【０００１】
本考案は、中間スイッチ消し忘れ防止用炬燵コード及びそれを備えた電気炬燵に関する。
【０００２】
本考案は、より詳しくは、表示ランプを途中に有する導線の上流端部が、当該中間スイッチの上流側において、一方の当該端子ブレード又は一方の当該コードと接続され、当該導線の下流端部が、当該中間スイッチの下流側において、他方の当該コードを導線で接続されたことを特徴とする中間スイッチ消し忘れ防止用炬燵コード及びそれを備えた電気炬燵に関する。
【背景技術】
【０００３】
本発明は、炬燵コードとそれを備えた炬燵コードに関するもので、従来のこたつコードの中間に中間スイッチが設置されてあり、中間スイッチ部にＬＥＤ等の表示ランプがついたものもあったが、大部分の炬燵コードは、表示ランプを有しておらず、また、中間スイッチ部は通常床の上にあり炬燵布団に隠れている場合も多く、炬燵コードの中間スイッチにスイッチが入っているかどうかが一目では分かり難いという従来の欠点が有った。
【０００４】
また、炬燵コードの中間スイッチを切ったつもりが、炬燵布団に隠れていて見え難くかったため切り忘れて、翌日まで中間スイッチが入っていたなどということが有り勝ちであった。
【０００５】
これは、中間スイッチ部を炬燵布団から出して取り上げて見ないと中間スイッチが切れているかどうかわかり難いという従来技術には欠点が有った。
【０００６】
電気炬燵のある部屋のどこからでもコンセントに挿入された差込プラグを見るだけで、中間スイッチが切れているかどうか一目で分かるようにした中間スイッチ消し忘れ防止用炬燵コード及びそれを備えた電気炬燵の提供が望まれていた。
【０００７】
さらに、忘れてならないのが、電気炬燵は、一般に、ＯＮ−ＯＦＦ型サーモスタットによって炬燵内温度を一定になるようにコントロールしていることである。
【０００８】
サーモスタットがＯＮ状態では、当然のことながら中間スイッチはＯＮ状態になっているので、問題ないが、中間スイッチはＯＮ状態になっているが、サーモスタットがＯＮＦＦ状態では、差込プラグには電流が流れなく、差込プラグに流れる電流によって表示ランプを点灯させるタイプでは、電気炬燵を使用しているにも拘わらず、消灯している表示ランプを見て電気炬燵を使用していないと誤認はする場合が有り、その場合は、翌日まで翌日まで中間スイッチが入って電気炬燵は付きっぱなしということが有り勝ちであった。
【０００９】
したがって、電気炬燵が、サーモスタットによるＯＮとＯＦＦの切り替わることも拘わらず、中間スイッチがＯＮ状態にある時には、表示ランプが常に点灯するような中間スイッチ消し忘れ防止用炬燵コード及びそれを備えた電気炬燵の提供が望まれていた。
【００１０】
ここに、出願人側で、先行技術を調査したところ、スイッチ消し忘れ防止等に関連するする技術として、
例えば、特開２００５−２６７９１９（特許文献１）の「抜き忘れ防止コードおよびプラグ」、特開平０９−１５９１８４（特許文献２）の「電気炬燵の電源表示装置」、実開平０７−０２９７７１の（負荷スイッチＯＮ−ＯＦＦ明解差し込み電気プラグ）、実開昭６１−１９４１０３（特許文献４）の「電源表示装置」が提案されている。
【００１１】
特許文献１は、プラグケースから２本の端子ブレードを突設させたプラグを、コードの一端に接続し、コードの他端に発熱電気機器を接続し、前記プラグケースは少なくとも一部を透明または半透明のプラスチックで形成すると共に、プラグケースの内側の両端子ブレード間に、発光素子を接続したことを特徴とする抜き忘れ防止コードを開示している。
【００１２】
特許文献２は、商用電源と炬燵スイッチを介して接続してある電気炬燵と、電気炬燵に取り付けてある発信器と、その発信器からの信号を受信して付設の表示ランプを点灯する受信器とで構成し、前記発信器の電源を前記炬燵スイッチの下流側から取ることを特徴とする電気炬燵の電源表示装置を開示している。
【００１３】
特許文献３は、この差し込み電気プラグは差し込んで置いたままで、スイッチがＯＮの時には赤、ＯＦＦの時には青のランプが電子回路によって点灯する様にできている。  この考案によると製造コストも低いし、又この差し込み電気プラグは例えば４００Ｗ〜５００Ｗ、２００Ｗ〜３００Ｗの様に表示してそれに合わせて製造して、差し込み電気プラグだけのバラ売りも出来る。  又、負荷のスイッチよりも差し込み電気プラグ側で負荷に電気が通っていないことを感知する新しく考案した回路によってこれを可能にしたことが開示されている。
【００１４】
特許文献４は、電源に接続する電源プラグに電気こたつのヒータ等の負荷への通電状態を表示する表示体を設けてなることを特徴とする電源表示装置を開示している。
【特許文献１】特開２００５−２６７９１９号公報
【特許文献２】特開平０９−１５９１８４号公報
【特許文献３】実開平０７−０２９７７１号公報
【特許文献４】実開昭６１−１９４１０３号公報
【考案の開示】
【考案が解決しようとする課題】
【００１５】
しかしながら、上記特許文献１、特許文献２、及び特許文献４で開示されている先行技術では、電気炬燵が、サーモスタットによるＯＮとＯＦＦの切り替わることも拘わらず、中間スイッチがＯＮ状態にある時には、表示ランプが常に点灯するような中間スイッチ消し忘れ防止用炬燵コード及びそれを備えた電気炬燵の提供という目的が達成されていない。
【００１６】
また、上記特許文献３で開示されている先行技術は、高価な発信器、及び受信器を必要とし、本考案が、差込プラグ部に表示ランプを取り付けることにより、簡便に、電気炬燵が、サーモスタットによるＯＮとＯＦＦの切り替わることも拘わらず、中間スイッチがＯＮ状態にある時には、表示ランプが常に点灯するような中間スイッチ消し忘れ防止用炬燵コード及びそれを備えた電気炬燵の提供という技術であるが、両技術は全く別異の技術である。
○本考案が解決しようとする第１の課題（考案の第１の課題）
本考案が解決しようとする第１の課題は、電気炬燵のある部屋のどこからでもコンセントに挿入された差込プラグを見るだけで、中間スイッチが切れているかどうか一目で分かるようにした中間スイッチ消し忘れ防止用炬燵コード及びそれを備えた電気炬燵を提供することにある。
○本考案が解決しようとする第２の課題（考案の第２の課題）
本考案が解決しようとする第２の課題は、電気炬燵が、サーモスタットによるＯＮとＯＦＦの切り替わることも拘わらず、中間スイッチがＯＮ状態にある時には、表示ランプが常に点灯するような中間スイッチ消し忘れ防止用炬燵コード及びそれを備えた電気炬燵を提供することにある。
【課題を解決するための手段】
【００１７】
本考案者は、上記の従来技術及び市販製品が有する各種の問題点に鑑み、鋭意検討を重ねて、本考案を完成したものである。課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
電源コンセントへ挿入する差込プラグ、中間スイッチ、プラグ受け、及び２本のコードからなると共に、当該差込プラグは２本の突出した端子ブレードとプラグケースからなり、一端部において当該差込プラグを、中間部において当該中間スイッチを、他端部において当該プラグ受けを、２本の当該コードで接続してなる炬燵コードにおいて、表示ランプを途中に有する導線の上流端部が、当該中間スイッチの上流側において、一方の当該端子ブレード又は一方の当該コードと接続され、当該導線の下流端部が、当該中間スイッチの下流側において、他方の当該コードを導線で接続されたことを特徴とする中間スイッチ消し忘れ防止用炬燵コードである。
○第２の考案（請求項２に記載の考案）
上記の課題を解決するための第２の考案（請求項２に記載の考案）は、
前記表示ランプは、プラグケース内に収納されていることを特徴とする請求項１に記載された炬燵コードである。
である。
○第３の考案（請求項３に記載の考案）
上記の課題を解決するための第３の考案（請求項３に記載の考案）は、
前記表示ランプは、発光素子と抵抗を取り付けたことを特徴とする請求項１〜２の何れかに記載された炬燵コードである。
○第４の考案（請求項４に記載の考案）
上記の課題を解決するための第４の考案（請求項４に記載の考案）は、
前記２本のコードと導線が、絶縁材料で被覆してなることを特徴とする請求項１〜３の何れかに記載された炬燵コードである。
○第５の考案（請求項５に記載の考案）
上記の課題を解決するための第５の考案（請求項５に記載の考案）は、
請求項１〜４に何れかに記載された炬燵コードを用いてなる電気炬燵である。
○第６の考案（請求項６に記載の考案）
上記の課題を解決するための第５の考案（請求項５に記載の考案）は、
請求項１〜４に何れかに記載された炬燵コードを用いてなるＯＮ−ＯＦＦ式サーモスタットを有する電気炬燵である。
【考案の効果】
【００１８】
本考案に係る、荷崩れ防止用バンドは、上記のような特徴的構成用件から構成され、特徴的構成用件に応じた、以下のような本願考案特有の効果を奏する。
【００１９】
また、上記のような特徴的構成用件から構成された荷崩れ防止用バンドによれば、本願考案の課題を十分解消することができる。
○  第１の考案の効果
第１の考案によれば、
電源コンセントへ挿入する差込プラグ、中間スイッチ、プラグ受け、及び２本のコードからなると共に、当該差込プラグは２本の突出した端子ブレードとプラグケースからなり、一端部において当該差込プラグを、中間部において当該中間スイッチを、他端部において当該プラグ受けを、２本の当該コードで接続してなる炬燵コードにおいて、表示ランプを途中に有する導線の上流端部が、当該中間スイッチの上流側において、一方の当該端子ブレード又は一方の当該コードと接続され、当該導線の下流端部が、当該中間スイッチの下流側において、他方の当該コードを導線で接続されたという特徴的な構成により、
電気炬燵のある部屋のどこからでもコンセントに挿入された差込プラグを見るだけで、中間スイッチが切れているかどうか一目で分かるようにした中間スイッチ消し忘れ防止用炬燵コード及びそれを備えた電気炬燵を提供するという、当業者が予測不可能な本願考案の第１の課題を達成することができた。
【００２０】
さらに、電気炬燵が、サーモスタットによるＯＮとＯＦＦの切り替わることも拘わらず、中間スイッチがＯＮ状態にある時には、表示ランプが常に点灯するような中間スイッチ消し忘れ防止用炬燵コード及びそれを備えた電気炬燵を提供するという、当業者が予測不可能な本願考案の第２課題を併せて達成することができた。
○  第２の考案の効果
第２の考案によれば、前記表示ランプは、プラグケース内に収納されている特徴的構成要件により、当業者が予測不可能な本願考案の第１の課題、第２の課題を達成するための具体的構成を提供することができた。
○第３の考案の効果
第３の考案によれば、前記表示ランプは、発光素子と抵抗を取り付けたという特徴的構成要件により、適当な抵抗値を有する抵抗を用意する事により、発光素子に印加される電圧を調節できるので、低コストである部品から構成される、低コストである、中間スイッチ消し忘れ防止用炬燵コード及びそれを備えた電気炬燵を提供することができた。
○第４の考案の効果
第４の考案によれば、前記２本のコードと導線が、絶縁材料で被覆してなるという特徴的構成要件により、外観上、通常の２本のコードからなる絶縁被覆コードと相違がなく、デザイン上スマートな、中間スイッチ消し忘れ防止用炬燵コードを備えた電気炬燵を提供することができた。
○  第５の考案の効果
第５の考案によれば、請求項１〜４に何れかに記載された炬燵コードを用いてなる電気炬燵という特徴的構成要件により、請求項１〜４に何れかに記載された炬燵コードを備えた電気炬燵の範囲まで実用新案登録請求の範囲（実用新案権の効力範囲）を拡大することを明確化した。
○  第６の考案の効果
第６の考案によれば、請求項１〜４に何れかに記載された炬燵コードを用いてなるＯＮ−ＯＦＦ式サーモスタットを有する電気炬燵という特徴的構成要件により、請求項１〜４の何れかに記載された炬燵コードを備える共に、ＯＮ−ＯＦＦ式サーモスタットを有する電気炬燵の範囲まで実用新案登録請求の範囲（実用新案権の効力範囲）を拡大することを明確化した。
【考案を実施するための最良の形態】
【００２１】
以下、本考案に係る、中間スイッチ消し忘れ防止用炬燵コード及びそれを備えた電気炬燵に関する好適な実施形態について、図面を参照しながら説明する。
【００２２】
図１は、本考案に係る、中間スイッチ消し忘れ防止用炬燵コードを示す構成図である。
【００２３】
図２は、表示ランプ部の構成図である。
【００２４】
図３は、中間スイッチ消し忘れ防止用炬燵コードの外観図である。
【００２５】
図４は、中間スイッチ消し忘れ防止用炬燵コードを電源コンセントに差し込んだ状態図（使用状態図）である。
【００２６】
図５は、従来技術を示す構成図である。
【００２７】
図１に示すように、中間スイッチ消し忘れ防止用炬燵コード１００は、電源コンセントＣへ挿入する差込プラグＰ１、中間スイッチＳＷ、プラグ受けＰ２、及び２本のコードＣＬから構成されている。
【００２８】
当該差込プラグＰ１は２本の突出した端子ブレードＢとプラグケースＰＣから構成されている。
【００２９】
一端部ＣＬ１において当該差込プラグＰ１を、中間部ＣＬＭにおいて当該中間スイッチＳＷを、他端部ＣＬ２において当該プラグ受けＰ２を、２本の当該コードＣＬで接続してなる。
【００３０】
上記のような構成は、従来技術の構成と同じである（図１、図5）。
【００３１】
本考案の特徴的構成部分について、以下説明する。
【００３２】
上記のような炬燵コード１００において、「表示ランプLAを途中に有する導線Ｌの上流端部Ｌ１が、当該中間スイッチＳＷの上流側において、一方の当該端子ブレードＢ又は一方の当該コードＣＬと接続され、当該導線の下流端部Ｌ２が、当該中間スイッチＳＷの下流側において、他方の当該コードＣＬを導線Ｌで接続された」という特徴的構成要件を付加することによって、中間スイッチ消し忘れ防止用炬燵コード１００を完成させた。
【００３３】
図１には、本考案に係る中間スイッチ消し忘れ防止用炬燵コード１００が示されている。
（１）中間スイッチＳＷがＯＦＦの場合は、表示ランプLAを途中に有する導線Ｌには電流が流れず、従って、表示ランプLAは点灯されない。これにより、電気炬燵は使用されておらず（中間スイッチＳＷがＯＦＦの場合）、表示ランプLAは点灯されないので、電気炬燵の使用管理者は使用されていないと判断するが、その判断に何ら問題はない。
（２）中間スイッチＳＷがＯＮの場合は、表示ランプLAを途中に有する導線Ｌにも電流が流れ（電源コンセントから供給される電流の殆んどは、電気炬燵のヒーター部に供給される。）、従って、表示ランプLAは点灯される。これにより、電気炬燵は使用されおり（中間スイッチＳＷがＯＮの場合）、表示ランプLAは点灯されるので、電気炬燵の使用管理者は使用されていると判断するが、その判断に何ら問題はない。
（３）サーモスタットのＯＮ、ＯＦＦが問題となる場合は、上記スイッチＳＷがＯＮに設定されている場合である。
【００３４】
上記スイッチＳＷがＯＦＦに設定されている場合は、サーモスタットが作動することはなく、表示ランプは消灯されているので、表示ランプLAは点灯されないので、電気炬燵の使用管理者は使用されていないと判断するが、その判断に何ら問題はない。
（４）中間スイッチＳＷがＯＮの場合で、サーモスタットがＯＮ状態の場合は、上記スイッチＳＷがＯＮに設定されている場合である表示ランプLAを途中に有する導線Ｌにも電流が流れ（電源コンセントから供給される電流の殆んどは、電気炬燵のヒーター部に供給される。）、従って、表示ランプLAは点灯される。これにより、電気炬燵は使用されおり（中間スイッチＳＷがＯＮの場合）、表示ランプLAは点灯されるので、電気炬燵の使用管理者は使用されていると判断するが、その判断に何ら問題はない。
（５）中間スイッチＳＷがＯＮの場合で、サーモスタットがＯＦＦ状態の場合は、表示ランプLAを途中に有する導線Ｌにも電流が流れ（電源コンセントから供給される電流は、電気炬燵のヒーター部に供給されないので、より大きな電流が流れることになり、表示ランプLAは、より明るく点灯される。）、従って、表示ランプLAは点灯されることにより、電気炬燵は使用されおり（中間スイッチＳＷがＯＮの場合）、表示ランプLAは点灯されるので、電気炬燵の使用管理者は使用されていると判断するが、その判断に何ら問題はない。
【００３５】
よって、
本発明の特徴的構成要件により、本考案の第１の発明課題、及び本考案の第２の発明課題を達成するという、当業者が予測不可能な顕著な効果を奏することができた。
【００３６】
前記表示ランプLAは、プラグケースＰＣ内に収納されているのが望ましい。
【００３７】
これにより、電気炬燵のある部屋のどこからでもコンセントに挿入された差込プラグを見るだけで、中間スイッチが切れているかどうか一目で分かるようにした中間スイッチ消し忘れ防止用炬燵コード及びそれを備えた電気炬燵を提供することが可能となった。
【００３８】
前記表示ランプLAは、発光素子ＬＥと抵抗Ｒを取り付けてあることが望ましい。
【００３９】
これにより、適当な抵抗値を有する抵抗を用意する事により、発光素子に印加される電圧を調節できるので、低コストである部品から構成される、低コストである、中間スイッチ消し忘れ防止用炬燵コード及びそれを備えた電気炬燵を提供することができた。
【００４０】
前記２本のコードＣＬと導線Ｌが、絶縁材料１で被覆してなることが望ましい。
【００４１】
これにより、外観上、通常の２本のコードからなる絶縁被覆コードと相違がなく、デザイン上スマートな、中間スイッチ消し忘れ防止用炬燵コードを備えた電気炬燵を提供することができた。
【００４２】
請求項１〜４に何れかに記載された炬燵コード１００を用いてなる電気炬燵２００が、本考案の実用新案権の効力範囲に含まれることを明確化した。
【００４３】
請求項１〜４に何れかに記載された炬燵コード１００を用いてなるＯＮ−ＯＦＦ式サーモスタットを有する電気炬燵２００が、本考案の実用新案権の効力範囲に含まれることを明確化した。
【図面の簡単な説明】
【００４４】
【図１】図１は、本考案に係る、中間スイッチ消し忘れ防止用炬燵コードを示す構成図である。
【図２】図２は、表示ランプ部の構成図である。
【図３】図３は、中間スイッチ消し忘れ防止用炬燵コードの外観図である。
【図４】図４は、中間スイッチ消し忘れ防止用炬燵コードを電源コンセントに差し込んだ状態図（使用状態図）である。
【図５】図５は、従来技術を示す構成図である。
【符号の説明】
【００４５】
１００                        中間スイッチ消し忘れ防止用炬燵コード
２００                        電気こたつ
Ｃ                            電源コンセント
Ｐ１                          差込プラグ
ＳＷ                          中間スイッチ
Ｐ２                          プラグ受け
ＣＬ                          コード
ＣＬ１                      一端部
ＣＬＭ                      中間部
ＣＬ２                      他端部
Ｌ                            導線
ＬＡ                          表示ランプ
ＬＥ                        発光素子
Ｒ                          抵抗
ＰＣ                          プラグケース
【図１】
0003142006.tif 000003
【図２】
0003142006.tif 000004
【図３】
0003142006.tif 000005
【図４】
0003142006.tif 000006
【図５】
0003142006.tif 000007